(57)【要約】      （修正有）【課題】母親が３歳未満児を安心して遊ばせることができ、生後半年以内の乳児から、歩いたり走ったりできるようになった３歳未満児までが、楽しく遊ぶことができる３歳未満児用公園設備を提供する。【解決手段】公園内の一画を、３歳未満児が乗り越えられない高さのフェンス１で囲み、その内部に、３歳未満児の発育段階に応じた複数ステップの設備１２、１４、１８、２２と、３歳未満児を連れてきた母親向けの設備とを配置した。フェンス１は、保護者がまたぐことができる高さの緊急脱出部４を備えたものであるものが好ましい。【選択図】図１
2014083063.tif 000002
【特許請求の範囲】
【請求項１】
公園内の一画を、３歳未満児が乗り越えられない高さのフェンスで囲み、その内部に、３歳未満児の発育段階に応じた複数ステップの設備と、３歳未満児を連れてきた母親向けの設備とを配置したことを特徴とする３歳未満児用公園設備。
【請求項２】
前記フェンスは、保護者がまたぐことができる高さの緊急脱出部を備えたものであることを特徴とする請求項１記載の３歳未満児用公園設備。
【請求項３】
３歳未満児の発育段階に応じた複数ステップの設備が、未だ立てない３歳未満児向けのステップ１の設備と、伝い歩きができる３歳未満児向けのステップ２の設備と、一人歩きができる３歳未満児用のステップ３の設備と、巡ることができる３歳未満児向けのステップ４の設備であることを特徴とする請求項１記載の３歳未満児用公園設備。
【請求項４】
前記フェンスは、フェンスに対して垂直なパーキングボードを所定間隔で備え、その内側をベビーカー駐車場としたものであることを特徴とする請求項１記載の３歳未満児用公園設備。
【請求項５】
前記複数ステップの設備は、視認性を妨げない半透明素材に文字を表示したステップ表示ボードを備えたものであることを特徴とする請求項１記載の３歳未満児用公園設備。
【請求項６】
前記ステップ１の設備は、日陰シェルターの下部に人工芝の築山を設けたものであることを特徴とする請求項３記載の３歳未満児用公園設備。
【請求項７】
前記ステップ４の設備は、色彩の異なる多数のブロックを、回遊路を描くように地面に固定したものであることを特徴とする請求項３記載の３歳未満児用公園設備。
【発明の詳細な説明】
【技術分野】
【０００１】
本発明は、公園内に設置される３歳未満児用公園設備に関するものである。
【背景技術】
【０００２】
現存する公園の遊び空間及び施設は、３〜６歳児の幼児用と６〜１２歳児の児童用がほとんどであり、３歳未満児が安心して遊ぶことのできる空間は極めて少ない。３歳未満児用スペースとされる場所も皆無ではないが、公園の一隅に３歳未満児が利用できそうな幼児用遊具やベンチなどをレイアウトしたものが多く、そのような場所には３歳以上の幼児や児童も入って遊ぶことができ、動線が交錯することがある。３歳未満児と３〜６歳児とは運動能力が大きく違うので、危険な状況も発生する。また児童が遊ぶボールが飛び込んできたりするなど、母親が３歳未満児を安心して遊ばせることができる施設はほとんど見られないのが実情である。
【０００３】
特に、３歳未満児は生後半年以内の乳児や、ようやくハイハイができるが立つことのできない１歳未満の幼児や、伝わり歩きを始めた幼児や、一人歩きができる幼児など、運動能力が大きく異なるが、これらの各成長段階に応じた遊具や設備を集めた公園設備は、従来ほとんど存在しなかった。
【０００４】
また母親が兄弟を連れて公園に来た場合にも、年長の兄弟の動きを監視しながら、ベビーカーから降ろした３歳未満児を十分に遊ばせることができず、ベンチの周りで遊ばせることしかできない場合が多かった。
【０００５】
なお、公園の遊具に関する特許文献は特許文献１など多数存在するが、３歳未満児専用の公園設備を意識したものは発見されなかった。
【先行技術文献】
【特許文献】
【０００６】
【特許文献１】特開２００９−２５０３０２号公報
【発明の開示】
【発明が解決しようとする課題】
【０００７】
従って本発明の目的は上記した従来の問題点を解決し、母親が３歳未満児を安心して遊ばせることができる３歳未満児用公園設備を提供することである。また本発明の他の目的は、成長段階に応じた遊具を備え、生後半年以内の乳児から、歩いたり走ったりできるようになった３歳未満児までが、楽しく遊ぶことができる３歳未満児用公園設備を提供することである。
【課題を解決するための手段】
【０００８】
上記の課題を解決するためになされた本発明の３歳未満児用公園設備は、公園内の一画を、３歳未満児が乗り越えられない高さのフェンスで囲み、その内部に、３歳未満児の発育段階に応じた複数ステップの設備と、３歳未満児を連れてきた母親向けの設備とを配置したことを特徴とするものである。
【０００９】
なお請求項２のように、フェンスは保護者がまたぐことができる高さの緊急脱出部を備えたものであることが好ましい。また請求項３のように、３歳未満児の発育段階に応じた複数ステップの設備が、未だ立てない３歳未満児向けのステップ１の設備と、伝い歩きができる３歳未満児向けのステップ２の設備と、一人歩きができる３歳未満児用のステップ３の設備と、巡ることができる３歳未満児向けのステップ４の設備であることが好ましい。また請求項４のように、フェンスはフェンスに対して垂直なパーキングボードを所定間隔で備え、その内側をベビーカー駐車場としたものであることが好ましい。また請求項５のように、前記複数ステップの設備は、視認性を妨げない半透明素材に文字を表示したステップ表示ボードを備えたものであることが好ましい。
【００１０】
また請求項６のように、ステップ１の設備は、日陰シェルターの下部に人工芝の築山を設けたものとすることができ、請求項７のように、ステップ４の設備は、色彩の異なる多数のブロックを、回遊路を描くように地面に固定したものとすることができる。
【発明の効果】
【００１１】
本発明の３歳未満児用公園設備は、公園内の一画を３歳未満児が乗り越えられない高さのフェンスで囲み、その内部に成長段階に応じた複数ステップの設備を配置したものであるから、年長の児童が入って遊ぶことがなく、母親が３歳未満児を安心して遊ばせることができる。またその中に入った３歳未満児は、自分の成長段階に応じた設備や遊具で楽しく遊ぶことができる。特に、未だ立てない３歳未満児向けのステップ１の設備は例えば遮光ネットの下部に人工芝の築山を設けたものであるが、昼間に屋外の人工芝の築山の上を転がって運動すれば寝付きがよくなり、母親も夜間に休息できる効果がある。
【図面の簡単な説明】
【００１２】
【図１】実施例の３歳未満児用公園設備の全体斜視図である。
【図２】フェンスと緊急脱出部を示す正面図である。
【図３】パーキングボード部の斜視図である。
【図４】日陰シェルターを示す斜視図である。
【図５】ステップ１の設備を示す斜視図である。
【図６】ステップ２の設備を示す斜視図である。
【図７】ステップ３の設備を示す斜視図である。
【図８】ステップ４の設備を示す斜視図である。
【図９】砂場等の付帯設備を示す斜視図である。
【図１０】ステップ表示ボードを示す斜視図である。
【発明を実施するための形態】
【００１３】
以下に図面を参照しつつ、本発明の好ましい実施形態を説明する。
図１は本発明の実施形態の３歳未満児用公園設備の全体斜視図である。図１に示すようにこの３歳未満児用公園設備は、公園内の一画を、３歳未満児が乗り越えられない高さのフェンス１で囲んだものである。フェンス１には扉２を備えた出入口が設けられている。また出入口の側方には、目印となるインフォメーションボード３が立ててある。インフォメーションボード３には３歳未満児用専用であることを記載しておく。フェンス１は視認性を確保するとともに、ボールやペットの侵入を確実に防ぐために、ワイヤーメッシュ構造とすることが好ましい。
【００１４】
フェンス１の高さは３歳児の男子平均身長が９６８ｍｍであることから１ｍ以上とすることが好ましく、１〜１．５ｍ程度とする。閉塞感を避けるために、この実施形態では１ｍに設定した。しかし図２に示すように、緊急時に保護者が子供を抱いてまたぐことができる高さの緊急脱出部４を複数位置に設けてある。その高さは実験の結果、７０〜９０ｃｍの範囲が好ましく、この実施形態では８０ｃｍとした。
【００１５】
フェンス１には、フェンス１に対して垂直なパーキングボード５を２〜３ｍ程度の所定間隔で配置した。パーキングボード５は図３に示すようにフェンス１を跨ぐように配置されており、その外側を三輪車用の駐車スペース、内側をベビーカー用の駐車スペースとすることが、ピクトサイン６により表示されている。このように駐車位置を明示することによってフェンス１の内部空間を確保することができ、またフェンス１を利用してチェーンロックを掛けることも可能となる。
【００１６】
このようなフェンス１に囲まれた内部スペースには、少なくともステップ１〜ステップ４の設備が配置されている。何れの設備も図４に示すような日陰シェルター７を備えることが好ましい。日陰シェルター７は３本から４本の柱８の上部に日陰形成用の大型の葉９を設けるとともに、これらの柱８の間に遮光ネット１０を張った構造である。これにより暗さを感じさせない人工の木洩れ日を作り、夏季にも遊べるようにした。
【００１７】
なお、柱８の基部にはベンチ１１を設けて３歳未満児を連れてきた母親が座れるようにするとともに、柱８には持参した袋等の荷物を引掛けられるフックを設けておくことが好ましい。３歳未満児の利用が多いのは１０時〜１２時であるから、この時刻の日陰方向を考慮してベンチ１１を配置することが好ましい。またベンチ１１にはテーブルを組み合わせることができる。
【００１８】
図５に示すステップ１の設備１２は、未だ立てない６か月未満の幼児向けの設備である。この時期は赤ちゃんの首がすわり、手足の運動が活発になり、寝返りや腹這いなどの全身運動ができる段階である。このためこの実施形態では、日陰シェルター７の下に人工芝の築山１３を設けた。１０ｍ２程度の大きさとすれば親子３組程度が寝転がることができる。このように昼間に屋外の人工芝の築山１３の上を転がって運動すれば３歳未満児の寝付きがよくなり、母親も夜間に休息できるので母親の精神安定上の効果もあり、いらつきに起因する幼児虐待を防止することもできる。
【００１９】
図６に示すステップ２の設備１４は、掴まり立ちや伝い歩きができる３歳未満児向けの設備であり、おおむね６か月から１歳３か月の幼児向けの設備である。この時期は立つ、伝い歩き等の運動機能が発達する段階であり、この実施形態では高さが５０ｃｍ、長さが２〜３ｍの伝い歩き板１５を設けた。中央部は上面がゆるやかに湾曲し、上端に手を掛けて伝い歩きをすれば手の上下運動も行える構造とした。また両端部は幅広のパネル１６として、指を掛けて掴まり立ちを行い易い滑り止め１７を設けた。パネル１６の上部にはにぎり易い横棒や、横棒を利用したスライド遊具を設けることもできる。
【００２０】
図７に示すステップ３の設備１８は、一人歩きができる３歳未満児向けの設備であり、おおむね１歳３か月から２歳未満の幼児向けの設備である。この時期は歩き始め、歩く、押す、つまむ等の運動機能が発達する段階であり、この時期に転ぶことを練習するとよいと言われている。そこでこの実施形態では、厚手のクッション盤１９の上に２本のポスト２０を立てた。その大きさは例えば直径２ｍ程度であり、２本のポスト２０の間隔を１ｍ前後に設定しておけば、一方のポスト２０から離れた目的物であるポスト２０に向かって歩く挑戦心を掻き立てることができる。また厚手のクッション盤１９は足場が不安定となるので安全に転ぶことができる。なおポスト２０から離れた場所は静的遊びのエリア２１となる。
【００２１】
図８に示すステップ４の設備２２は、歩き巡ることができる３歳未満児向けの設備であり、おおむね２歳の幼児向けの設備である。この時期は歩く、走る、跳ぶなどの基本的な運動機能が発達し、簡単な鬼ごっこができ、また考えながら体を動かせるようになる。そこでこの実施形態では、色彩の異なる多数のブロック２３を、回遊路を描くように地面に固定した。図８では色彩や高さの異なる多数の樹脂製のブロック２３を四角形に配置するとともに、端部には穴あきパネル２４を立てた。各ブロック２３の高さは安全性を考慮して１０〜１５ｃｍ程度とする。なおその配置パターンは任意であり、図８のパターンに限定されるものではない。
【００２２】
なおこの外にも図９に示すように、母親が荷物を広げられるテーブル２５や、手を洗える水道設備２６、砂場２７などを配置することが好ましい。また３歳近くなった幼児がゴッコ遊びを行なえるようなハウスユニット２８を設けることもできる。
【００２３】
このように本発明ではフェンス１に囲まれた内部スペースに少なくともステップ１〜ステップ４の設備を配置するが、各設備には図１０に示すようなステップ表示ボード２９が設けられている。このステップ表示ボード２９は、公園内の視認性を妨げない半透明素材、例えばポリカーボネート板にステップ表示や対応する年齢等の文字を表示したものであることが好ましい。またこのステップ表示ボード２９には、遊具の使い方を説明しておくこともできる。
【００２４】
以上に説明したように、本発明の３歳未満児用公園設備は、母親が３歳未満児を安心して遊ばせることができる利点がある。また生後半年以内の乳児から、歩いたり走ったりできるようになった３歳未満児までが、楽しく遊びながら運動機能を発達させることができる利点がある。
【符号の説明】
【００２５】
１  フェンス
２  扉
３  インフォメーションボード
４  緊急脱出部
５  パーキングボード
６  ピクトサイン
７  日陰シェルター
８  柱
９  葉
１０  遮光ネット
１１  ベンチ
１２  ステップ１の設備
１３  人工芝の築山
１４  ステップ２の設備
１５  伝い歩き板
１６  パネル
１７  滑り止め
１８  ステップ３の設備
１９  クッション盤
２０  ポスト
２１  静的遊びのエリア
２２  ステップ４の設備
２３  ブロック
２４  穴あきパネル
２５  テーブル
２６  水道設備
２７  砂場
２８  ハウスユニット
２９  ステップ表示ボード
【図１】
2014083063.tif 000003
【図２】
2014083063.tif 000004
【図３】
2014083063.tif 000005
【図４】
2014083063.tif 000006
【図５】
2014083063.tif 000007
【図６】
2014083063.tif 000008
【図７】
2014083063.tif 000009
【図８】
2014083063.tif 000010
【図９】
2014083063.tif 000011
【図１０】
2014083063.tif 000012